(57)【要約】【課題】集塵機ダスト用ホッパーにおいてパルスジェット、逆洗等により大量にダストが落ちてきたとき、またそのダスト内に大きな塊が混入しているときにおいても、確実にダストが排出されるようにホッパー内のダストの棚つりを防止できる集塵機ダスト用ホッパーを提供する。【解決手段】電気炉の排ガス用集塵機の下部に設置してダストを貯めるための集塵機ダスト用ホッパーであって、前記ホッパーの形状が円錐または角錐状であり、前記ホッパーの内部に、回転する羽根を備えたダストほぐし装置を有することを特徴とする集塵機ダスト用ホッパー。【選択図】  図１
2004163063.tif 000002
【特許請求の範囲】
【請求項１】
電気炉の排ガス用集塵機の下部に設置してダストを貯める集塵機ダスト用ホッパーであって、
前記ホッパーの形状が円錐または角錐状であり、
前記ホッパーの内部に、回転する羽根を備えたダストほぐし装置を有することを特徴とする集塵機ダスト用ホッパー。
【請求項２】
前記ダストほぐし装置を、前記ホッパーの下部に配設されるダスト排出装置の上端から１．５ｍの高さの範囲内に設置することを特徴とする請求項１に記載の集塵機ダスト用ホッパー。
【請求項３】
前記ダストほぐし装置の回転駆動用機器を、前記ダスト排出装置の駆動用機器と共用することを特徴とする請求項１または請求項２に記載の集塵機ダスト用ホッパー。
【請求項４】
前記ダストほぐし装置を複数台設置することを特徴とする請求項１乃至請求項３のいずれか１項に記載の集塵機ダスト用ホッパー。
【請求項５】
前記ダストほぐし装置の回転する羽根における、ダストをほぐす部分の投影面積の通過面積に対する比率が５０％以下であることを特徴とする請求項１乃至請求項４のいずれか１項に記載の集塵機ダスト用ホッパー。
【請求項６】
前記ホッパーの側面に振動発生装置を設けることを特徴とする請求項１乃至請求項５のいずれか１項に記載の集塵機ダスト用ホッパー。
【発明の詳細な説明】
【０００１】
【発明が属する技術分野】
本発明は、金属材料の溶解や溶融金属の精錬等に使用される電気炉の排ガス用集塵機の下部に設置してダストを貯める集塵機ダスト用ホッパーに関する。
【０００２】
【従来の技術】
従来、電気炉の排ガス用集塵機ダスト用ホッパーのダスト詰まり防止装置としては、ホッパーの側面に振動発生装置を取り付けて、ホッパー側面を振動させ、その振動によりダストを落とし、排出する方法が一般的に用いられていた。
この振動発生装置はホッパーに落ちてくるダスト量が少なく、ホッパーにダストが貯まっていないときにホッパーの側面に付着したダストを剥離させることには効果があった。
【０００３】
しかし、実際の排ガス集塵機の操業においては、パルスジェットもしくは逆洗等により、集塵機の上部に設置されたフィルターに付着したダスト排出装置の排出速度を大幅に上回る量のダストがホッパーに落ちてくることがある。
また、排ガスダクトの内面もしくはホッパー内面に付着したダストが固まり、その固まったダストが振動、熱膨張等により剥離したときに、集塵機のホッパーに貯まるダストに大きな塊が混入する場合が多々発生する。
これらのダスト排出装置の排出速度を大幅に上回るホッパーに貯まった大量のダストは、ホッパーにおいてダストによる棚つりを促進し、それが振動装置により締め固まることにより、ダスト詰まりが多々発生していた。
【０００４】
また、集塵機ホッパーに貯まるダストに混入する大きな塊は、ホッパーにおけるダストによる棚つりを促進し、ダスト詰まりの原因となっていた。
さらに、ダスト中の水分も、ホッパーにおけるダストによる棚つりを促進し、ダスト詰まりの原因となっていた。
それを解決するために、特開平５−４９９６９号公報にダスト乾燥板を設けた集塵機が開示されている。
しかし、この従来技術は、水分が多いことにより、棚つりが発生していたときには効果があるが、前述のようにパルスジェットもしくは逆洗等によりダストが大量に落ちてきたときや、ダスト中に大きな塊が混入しているときには、ダスト詰まりが多々発生していた。
【０００５】
また、実開平６−８１６４３号公報には、電気集塵機のダスト集合ホッパーの下部に逆螺旋のスクリューコンベアを配設して、このスクリューコンベアを回転させてダストを掻き寄せることによってダスト集合ホッパー内壁に棚吊り固着したダストを剥離、切り崩すダスト排出装置が開示されている。
しかし、この従来技術は、本発明が対象とする円錐または角錐状のホッパーではなく、細長い三角柱状のホッパーを対象とし、このホッパーの下部に設置するスクリューコンベアによってダストを掻き寄せて排出することを目的とする装置であって、ダストを攪拌して棚吊りを防止する効果は不十分だった。
【０００６】
【特許文献１】特開平５−４９９６９号公報
【特許文献２】実開平６−８１６４３号公報
【０００７】
【発明が解決しようとする課題】
そこで、本発明は、集塵機ダスト用ホッパーにおいてパルスジェット、逆洗等により大量にダストが落ちてきたときや、そのダスト内に大きな塊が混入しているときにおいても、確実にダストが排出されるようにホッパー内のダストの棚つりを防止できる集塵機ダスト用ホッパーを提供することを課題とする。
【０００８】
【課題を解決するための手段】
本発明は、上記課題を解決するためになされたものであり、その要旨とするところは、特許請求の範囲に記載した通りの下記内容である。
（１）電気炉の排ガス用集塵機の下部に設置してダストを貯める集塵機ダスト用ホッパーであって、
前記ホッパーの形状が円錐または角錐状であり、
前記ホッパーの内部に、回転する羽根を備えたダストほぐし装置を有することを特徴とする集塵機ダスト用ホッパー。
（２）前記ダストほぐし装置を、前記ホッパーの下部に配設されるダスト排出装置の上端から１．５ｍの高さの範囲内に設置することを特徴とする（１）に記載の集塵機ダスト用ホッパー。
【０００９】
（３）前記ダストほぐし装置の回転駆動用機器を、前記ダスト排出装置の駆動用機器と共用することを特徴とする（１）または（２）に記載の集塵機ダスト用ホッパー。
（４）前記ダストほぐし装置を複数台設置することを特徴とする（１）乃至（３）のいずれか１項に記載の集塵機ダスト用ホッパー。
（５）前記ダストほぐし装置の回転する羽根における、ダストをほぐす部分の投影面積の通過面積に対する比率が５０％以下であることを特徴とする（１）乃至（４）のいずれか１項に記載の集塵機ダスト用ホッパー。
（６）前記ホッパーの側面に振動発生装置を設けることを特徴とする（１）乃至（５）のいずれか１項に記載の集塵機ダスト用ホッパー。
【００１０】
【発明の実施の形態】
本発明の実施の形態について、図１乃至図５を用いて詳細に説明する。
図１は、本発明のダストほぐし装置を配置した集塵機ダスト用ホッパーの縦断面図である。
図２は、本発明に用いるダストほぐし装置の回転する羽根の形状の例として、櫛形状の羽根を示す図である。
図３は、本発明に用いるダストほぐし装置の回転する羽根の形状の例として、熊手形状の羽根を示す図である。
図４は、本発明のダストほぐし装置を配置した集塵機ダスト用ホッパーの羽根回転軸方向の縦断面図である。
図５は、本発明の集塵機ダスト用ホッパーに用いるダスト排出装置の駆動用機器をダストほぐし装置の駆動用機器と共用とした実施形態の羽根回転軸方向の縦断面図である。
【００１１】
図１において、図示されていない集塵機によって集められたダスト１は、円錐または角錐形状のホッパー２に貯まり、ダスト排出装置３によりホッパー外に排出される。
しかし、排ガスの集塵機の上部に設置されたフィルターに付着したダストが、パルスジェットもしくは逆洗等により大量に落ちてくることがあり、この際のダスト量は、排出装置３の排出速度を大幅に上回るため、そのホッパー２に貯まったダスト１は、棚つりを形成する。
【００１２】
そこで、本発明においては、回転軸５を中心として回転する羽根４がダスト１をほぐすことにより棚つりが解消されて、確実にダスト１がホッパー外に排出される。
なお、羽根４の回転数は、低回転の場合ダストの摩擦抵抗が大きくなり、高回転の場合トルクが大きくなるため、２ｒｐｍから１２ｒｐｍの範囲内が好ましい。
また、ダスト１による棚つりは、ダスト排出装置３の上端から１．５ｍの高さの範囲内で発生しているため、羽根の通過範囲はその範囲に設置することが好ましい。
なお、ダスト排出装置３に近づくに従い、ダスト１の棚つりが発生しやすくなるため、本発明のダストほぐし装置の羽根４の通過範囲は、ダスト排出装置３の上端に近づけることが好ましい。また、本発明のダストほぐし装置をダスト排出装置３の上端から１．５ｍの高さの範囲内に複数個配置することもダスト１の棚つりの防止に効果的である。
【００１３】
さらに、図１において、回転する羽根４は中空となっている。
また、図２においては羽根４を櫛形状とし、図３においては羽根４を熊手形状としている。
羽根４を、例えば、板状もしくはスクリュ―状としてダスト１との接触面積を大きくすると、ダストとの摩擦抵抗およびダストを押しのける量の増加によるトルクが大きくなり、大きな動力が必要となってくるので好ましくない。
一方、図１乃至図３のように、羽根４の通過範囲に、ダスト１が逃げる空間を配置することにより、ダスト１との摩擦抵抗を減らし、また、羽根４によるダストを押しのける量を削減することにより必要トルクを削減し、少ない動力により効果的にダスト１の棚つり状態を解消することが可能となる。
具体的には、図１の中空羽根、図２の櫛形状、図３の熊手形状が好ましく、いずれの場合も、ダストとの摩擦抵抗を減らし、また、羽根によるダストを押しのける量を削減するためには、羽根のダストをほぐす部分の投影面積が羽根の通過面積の５０％以下であることが好ましい。
【００１４】
図４において、本発明のダストほぐし装置の羽根回転駆動用の機器６は、ダスト排出装置の駆動用機器７と別に配設されている。
図５において、本発明のダストほぐし装置の羽根回転駆動用の機器６は、ダスト排出装置３の駆動用機器７と共用となっている。駆動用機器を共用することにより、駆動用機器の数を１／２以下とすることが可能となり、設備コストの削減につながる。
さらに、本発明のダストほぐし装置に加えて、ホッパー２内面のダスト１剥離を促進する振動発生装置８をホッパー２に取り付けることにより、ホッパー２内面に付着したダスト１も確実に排出することが可能となり、ダスト１の排出に非常に効果的である。
【００１５】
【発明の効果】
本発明によれば、集塵機ダスト用ホッパーにおいてパルスジェット、逆洗等により大量にダストが落ちてきたとき、またそのダスト内に大きな塊が混入しているときにおいても、確実にダストが排出されるようにホッパー内のダストの棚つりを防止できる集塵機ダスト用ホッパーを提供することができ、具体的には、以下のような産業上有用な著しい効果を奏する。
【００１６】
１）電気炉集塵機における円錐および角錐形状のホッパーにダストほぐし装置を取り付けることにより、ホッパー部の棚つりを防止することが可能となり、メンテナンス要員、コストの削減が図られるとともに操業の中断を防止することができる。
２）さらに、振動発生装置をホッパーに取り付けることにより、ホッパー内のダストを確実に排出することが可能となる。
【図面の簡単な説明】
【図１】本発明のダストほぐし装置を配置した集塵機ダスト用ホッパーの縦断面図である。
【図２】本発明に用いるダストほぐし装置の回転する羽根の形状の例として櫛形状の羽根を示す図である。
【図３】本発明に用いるダストほぐし装置の回転する羽根の形状の例として熊手形状の羽根を示す図である。
【図４】本発明のダストほぐし装置を配置した集塵機ダスト用ホッパーの羽根回転軸方向の縦断面図である。
【図５】本発明の集塵機ダスト用ホッパーに用いるダスト排出装置の駆動用機器をダストほぐし装置の駆動用機器と共用とした実施形態の羽根回転軸方向の縦断面図である。
【符号の説明】
１：ダスト、
２：ホッパー、
３：ダスト排出装置、
４：羽根、
５：回転軸、
６：ダストほぐし装置回転駆動用機器、
７：ダスト排出装置駆動用機器、
８：振動発生装置
【図１】
2004163063.tif 000003
【図２】
2004163063.tif 000004
【図３】
2004163063.tif 000005
【図４】
2004163063.tif 000006
【図５】
2004163063.tif 000007